(57)【要約】  照明演出システム（１）は、光源部（１１）と、光源部（１１）の調光及び調色の少なくとも一方を制御する制御部（１２）とを備える照明器具（１０）と、照明器具（１０）が配置された空間（５０）のレイアウト情報、照明器具（１０）の性能を示す基本情報、照明器具（１０）による現状の照明状態を示す照明情報、及び、所定の照明状態が実現された空間の印象を示す印象情報を含む入力情報を取得する取得部（２１）を備える通信端末（２０）と、照明情報が示す現状の照明情報を印象情報が示す印象に近付けるための照明制御情報を、入力情報に基づいて生成する制御情報生成部（３１）とを備え、通信端末（２０）は、さらに、照明制御情報を照明器具（１０）の制御部（１２）に送信する送信部（２２）を備え、制御部（１２）は、送信された照明制御情報を取得し、取得した照明制御情報に基づいて光源部（１１）の調光及び調色の少なくとも一方を制御する。
2016194320.tif 000002
【特許請求の範囲】
【請求項１】
各々が、光源部と、当該光源部の調光及び調色の少なくとも一方を制御する制御部とを備える１以上の照明器具と、
前記１以上の照明器具が配置された空間のレイアウト情報、前記１以上の照明器具の性能を示す基本情報、前記１以上の照明器具による現状の照明状態を示す照明情報、及び、所定の照明状態が実現された空間の印象を示す印象情報を含む入力情報を取得する取得部を備える通信端末と、
前記照明情報が示す現状の照明情報を前記印象情報が示す印象に近付けるための前記１以上の照明器具の各々の照明制御情報を、前記入力情報に基づいて生成する制御情報生成部とを備え、
前記通信端末は、さらに、前記照明制御情報を、対応する前記照明器具の前記制御部に送信する送信部を備え、
前記制御部は、前記送信部によって送信された照明制御情報を取得し、取得した照明制御情報に基づいて前記光源部の調光及び調色の少なくとも一方を制御する
照明演出システム。
【請求項２】
前記印象情報は、ユーザの理想の照明状態が実現された空間が撮影された画像を含む
請求項１に記載の照明演出システム。
【請求項３】
前記照明演出システムは、さらに、複数の色温度と照明状態の印象を示す複数のキーワードとを対応付けたデータベースを備え、
前記制御情報生成部は、前記入力情報に基づいて前記データベースを参照することで、前記照明制御情報を生成する
請求項２に記載の照明演出システム。
【請求項４】
前記データベースでは、前記複数の色温度の各々に対して、前記複数のキーワードの各々に応じた調光率が対応付けられており、
前記制御情報生成部は、前記データベースの中から前記理想の照明状態に対応する調光率を選択し、選択した調光率に基づいて前記照明制御情報を生成する
請求項３に記載の照明演出システム。
【請求項５】
前記制御情報生成部は、
前記印象情報に含まれる画像から、前記理想の照明状態の色温度及び明るさを抽出し、
前記データベースの中から、抽出した色温度及び明るさに対応する第１キーワードに対応付けられた調光率を選択し、
選択した調光率、及び、抽出した色温度に基づいて前記照明制御情報を生成する
請求項４に記載の照明演出システム。
【請求項６】
前記印象情報は、さらに、前記ユーザが好む印象を示す第２キーワードを含む
請求項５に記載の照明演出システム。
【請求項７】
前記制御情報生成部は、さらに、前記第１キーワードと前記第２キーワードとの間の印象の差に応じて、選択した調光率を調整する
請求項６に記載の照明演出システム。
【請求項８】
前記制御情報生成部は、さらに、前記基本情報が示す性能で実現可能な範囲内に、選択した調光率を調整する
請求項４〜７のいずれか１項に記載の照明演出システム。
【請求項９】
前記レイアウト情報は、前記１以上の照明器具の配置を示し、
前記データベースでは、前記複数の色温度の各々に対して、前記複数のキーワードの各々に応じた調光率が、空間内の場所毎に対応付けられ、
前記制御情報生成部は、前記レイアウト情報を用いて、前記１以上の照明器具の各々に応じた調光率を決定する
請求項３〜８のいずれか１項に記載の照明演出システム。
【請求項１０】
コンピュータを、請求項１〜９のいずれか１項に記載の照明演出システムとして機能させるためのプログラム。
【発明の詳細な説明】
【技術分野】
【０００１】
本発明は、照明演出システム及びプログラムに関する。
【背景技術】
【０００２】
従来、リモコンなどの携帯端末からの制御に基づいて調光又は調色を行うことができる照明器具が知られている（例えば、特許文献１を参照）。このような調光又は調色機能を有する照明器具を用いて、空間の照明演出を行うことができる。
【先行技術文献】
【特許文献】
【０００３】
【特許文献１】特開２０１０−１５３１３７号公報
【発明の概要】
【発明が解決しようとする課題】
【０００４】
しかしながら、ユーザが照明器具の調光及び調色を行って空間の照明演出を行うのは容易ではない。どのように照明器具の調光率及び色温度を設定すれば、どのように照明器具が点灯するかを正確に判断するためには、専門の知識が必要になる。したがって、照明の専門家ではないユーザが、希望の照明空間を実現することは困難である。【０００５】
そこで、本発明は、ユーザが希望する照明空間を容易に実現することができる照明演出システムなどを提供することを目的とする。
【課題を解決するための手段】
【０００６】
上記目的を達成するため、本発明の一態様に係る照明演出システムは、各々が、光源部と、当該光源部の調光及び調色の少なくとも一方を制御する制御部とを備える１以上の照明器具と、前記１以上の照明器具が配置された空間のレイアウト情報、前記１以上の照明器具の性能を示す基本情報、前記１以上の照明器具による現状の照明状態を示す照明情報、及び、所定の照明状態が実現された空間の印象を示す印象情報を含む入力情報を取得する取得部を備える通信端末と、前記照明情報が示す現状の照明情報を前記印象情報が示す印象に近付けるための前記１以上の照明器具の各々の照明制御情報を、前記入力情報に基づいて生成する制御情報生成部とを備え、前記通信端末は、さらに、前記照明制御情報を、対応する前記照明器具の前記制御部に送信する送信部を備え、前記制御部は、前記送信部によって送信された照明制御情報を取得し、取得した照明制御情報に基づいて前記光源部の調光及び調色の少なくとも一方を制御する。【０００７】
また、本発明の一態様は、コンピュータを上記照明演出システムとして機能させるためのプログラムとして実現することができる。あるいは、当該プログラムを格納したコンピュータ読み取り可能な記録媒体として実現することもできる。
【発明の効果】
【０００８】
本発明に係る照明演出システムによれば、ユーザが希望する照明空間を容易に実現することができる。
【図面の簡単な説明】
【０００９】
【図１】図１は、実施の形態に係る照明演出システムの構成を模式的に示すブロック図である。
【図２】図２は、実施の形態に係る照明演出システムの複数の照明器具が配置される空間のレイアウトを示す図である。
【図３】図３は、実施の形態に係るレイアウト情報を示す図である。
【図４】図４は、実施の形態に係る基本情報を示す図である。
【図５】図５は、実施の形態に係る現状の照明状態が実現された空間が撮影された画像を示す図である。
【図６】図６は、実施の形態に係る理想の照明状態が実現された空間が撮影された画像を示す図である。
【図７】図７は、実施の形態に係るデータベースの一部を示す図である。
【図８】図８は、実施の形態に係る照明演出システムの動作を示すシーケンス図である。
【図９】図９は、実施の形態に係る照明演出システムにおいて照明制御情報を生成する処理を示すフローチャートである。
【発明を実施するための形態】
【００１０】
以下では、本発明の実施の形態に係る照明演出システムについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
（実施の形態）
［照明演出システム］
まず、実施の形態に係る照明演出システムの概要について、図１及び図２を用いて説明する。図１は、本実施の形態に係る照明演出システム１の構成を示すブロック図である。図２は、本実施の形態に係る照明演出システム１の複数の照明器具１０が配置される空間５０のレイアウトを示す図である。
【００１３】
図１に示すように、照明演出システム１は、１以上の照明器具１０と、通信端末２０と、サーバ装置３０とを備える。通信端末２０とサーバ装置３０とは、ネットワーク４０を介して通信する。
【００１４】
本実施の形態では、図２に示すように、照明演出システム１は、６つの照明器具１０ａ〜１０ｆを備える。なお、以降の説明において、６つの照明器具１０ａ〜１０ｆを特に区別しない場合、照明器具１０として説明する。
【００１５】
照明演出システム１では、空間５０に配置された複数の照明器具１０の光色及び光束を通信端末２０が制御することで、空間５０の色を制御する。つまり、照明演出システム１は、空間５０の照明演出を行う。
【００１６】
［照明器具］
複数の照明器具１０は、空間５０の少なくとも一部を照明するように配置されている。複数の照明器具１０が照明する部分は、互いに同じでもよく、あるいは、互いに異なっていてもよい。
【００１７】
空間５０は、配置された複数の照明器具１０によって照明される照明空間である。例えば、空間５０は、照明演出システム１を利用するユーザの居住空間である。具体的には、空間５０は、リビングルーム、ダイニングルーム、寝室などの部屋である。なお、空間５０は、部屋などの閉じられた空間に限らず、屋外などの開かれた空間でもよい。
【００１８】
図２に示すように、空間５０は、例えば、天井５１と、床５２と、壁５３と、壁５４とによって囲まれている。
【００１９】
本実施の形態では、４つの照明器具１０ａ〜１０ｄは、天井５１に設けられている。４つの照明器具１０ａ〜１０ｄは、全てが同じ種類の照明器具でもよく、あるいは、異なる種類の照明器具でもよい。照明器具１０ａ〜１０ｄは、例えば、ダウンライト、シーリングライト、ペンダントライト、スポットライトなどである。
【００２０】
照明器具１０ｅは、床５２に設けられている。照明器具１０ｅは、例えば、床５２に固定されていてもよく、あるいは、移動可能に設置されていてもよい。照明器具１０ｅは、例えば、スタンドライト、フロアライトなどである。
【００２１】
照明器具１０ｆは、壁５３に設けられている。照明器具１０ｆは、例えば、ブラケットライト、ウォールライトなどである。
【００２２】
なお、図２に示す６つの照明器具１０ａ〜１０ｆの配置及び組み合わせは、一例に過ぎず、これに限定されない。例えば、空間５０に配置された照明器具１０の個数は、１つのみでもよい。すなわち、照明演出システム１は、１つのみの照明器具１０を備えてもよい。
【００２３】
図１に示すように、照明器具１０は、光源部１１と、制御部１２とを備える。以下、照明器具１０の各構成要素について詳細に説明する。
【００２４】
［光源部］
光源部１１は、可視光（照明光）を出射する。具体的には、光源部１１は、白色光を出射する。光源部１１は、例えば、ＬＥＤ（Ｌｉｇｈｔ  Ｅｍｉｔｔｉｎｇ  Ｄｉｏｄｅ）素子を有するＬＥＤモジュールである。なお、光源部１１は、ＬＥＤモジュールに限らず、有機ＥＬ（Ｅｌｅｃｔｒｏ−Ｌｕｍｉｎｅｓｃｅｎｃｅ）素子又は蛍光灯でもよい。
【００２５】
光源部１１は、調光機能及び調色機能の少なくとも一方を有する。具体的には、光源部１１は、０％（消灯）〜１００％（全点灯）の間の設定された調光率で、光を出射する。また、光源部１１は、所定の範囲の色温度の光を出射する。光源部１１が出射可能な色温度の範囲は、例えば、２０００Ｋ〜６５００Ｋである。これにより、光源部１１は、例えば、電球色、温白色、昼白色などの白色光を出射することができる。
【００２６】
光源部１１は、制御部１２から送信される制御信号に基づいて、点灯し、消灯し、又は、調光若しくは調色する。制御信号には、例えば、点灯指示、消灯指示、調光率、又は、色温度が含まれる。
【００２７】
なお、光源部１１は、赤色光（Ｒ）、緑色光（Ｇ）及び青色光（Ｂ）などの有色光を出射してもよい。この場合、光源部１１は、赤色光、緑色光及び青色光の各々について、例えば独立して調光制御が可能である。
【００２８】
［制御部］
制御部１２は、光源部１１を制御するコントローラである。制御部１２は、プログラムが格納された不揮発性メモリ、プログラムを実行するための一時的な記憶領域である揮発性メモリ、入出力ポート、プログラムを実行するプロセッサなどを有する。制御部１２は、例えば、マイコン（マイクロコントローラ）である。
【００２９】
制御部１２は、光源部１１の調光及び調色の少なくとも一方を制御する。具体的には、制御部１２は、通信端末２０の送信部２２から送信された照明制御情報を取得し、取得した照明制御情報に基づいて光源部１１の調光及び調色の少なくとも一方を制御する。本実施の形態では、制御部１２は、光源部１１の点灯、消灯、調光及び調色を制御する。照明制御情報には、光源部１１の点灯指示、消灯指示、調光率及び色温度などが含まれる。
【００３０】
［通信端末］
通信端末２０は、複数の照明器具１０を制御する。具体的には、通信端末２０は、複数の照明器具１０の各々に照明制御情報を送信することで、複数の照明器具１０の調光及び調色を制御する。本実施の形態では、図２に示すように、空間５０には、６つの照明器具１０ａ〜１０ｆが設けられている。このため、通信端末２０は、６つの照明器具１０ａ〜１０ｆの各々の調光及び調色を制御することで、空間５０の照明状態を制御する。
【００３１】
通信端末２０は、例えば、携帯電話、スマートフォン、タブレット端末などの携帯端末である。図１に示すように、通信端末２０は、取得部２１と、送信部２２と、受信部２３とを備える。
【００３２】
以下、通信端末２０が備える各構成要素について詳細に説明する。
【００３３】
［取得部］
取得部２１は、入力情報を取得する。入力情報は、レイアウト情報、基本情報、照明情報及び印象情報を含んでいる。各情報の詳細については、後で説明する。
【００３４】
取得部２１は、具体的には、カメラ、及び、ユーザからの操作を受け付けるユーザインタフェースを含む。ユーザインタフェースは、例えば、ＧＵＩ（Ｇｒａｐｈｉｃａｌ  Ｕｓｅｒ  Ｉｎｔｅｒｆａｃｅ）、タッチパネル、物理的な操作ボタン、マイクロフォンなどを含む。取得部２１は、取得した情報を、図示しない記憶部などに記憶する。
【００３５】
レイアウト情報は、複数の照明器具１０が配置された空間５０のレイアウト情報である。具体的には、レイアウト情報は、空間５０の性質、及び、複数の照明器具１０の個数及び配置などを示す。空間５０の性質は、例えば、空間５０の種類（部屋の名前）及び大きさなどである。
【００３６】
図３は、本実施の形態に係るレイアウト情報の一例を示す図である。図３に示す例では、空間５０は、２０ｍ２のリビング・ダイニングルームであり、天井５１、床５２及び壁５３又は壁５４には、それぞれ、４つ、１つ、１つの照明器具１０が配置されていることを示している。
【００３７】
具体的には、レイアウト情報は、部屋（空間５０）の間取りを示す平面図（間取り図）に相当する。間取り図には、空間５０に設けられる複数の照明器具１０の配置が示されている。
【００３８】
例えば、ユーザは、通信端末２０のタッチパネル（取得部２１）を操作することで、照明演出プログラム（アプリケーション）を起動する。照明演出プログラムは、空間５０のレイアウト（間取り）をユーザに入力させるためのＧＵＩをタッチパネルに表示する。
【００３９】
これにより、空間５０の大きさ、性質などをユーザに入力させることで、取得部２１は、入力された情報をレイアウト情報として取得することができる。なお、照明演出プログラムは、空間５０の間取り図を示す画像ファイルが記憶された場所を示すアドレスをユーザに入力させてもよい。
【００４０】
基本情報は、複数の照明器具１０の性能を示す情報である。性能は、照明器具１０が実行できる機能を含む。具体的には、基本情報は、照明器具１０の調光の可否、及び、調色の可否などを示している。
【００４１】
図４は、本実施の形態に係る基本情報の一例を示す図である。基本情報は、照明器具の名前、型番、機能及び配置を示す情報を含んでいる。図４に示す例では、天井器具Ａ、天井器具Ｃ、床器具Ａ及び壁器具Ａは、調光及び調色が可能であるのに対して、天井器具Ｂ及び天井器具Ｄは、調光のみが可能である。
【００４２】
照明器具の名前、型番及び配置は、例えば、ユーザからの操作に基づいて設定される。照明器具の機能は、例えば、ユーザからの操作に基づいて設定されてもよく、あるいは、設定された型番に基づいて外部のデータベースを参照することで設定されてもよい。
【００４３】
例えば、照明演出プログラムは、照明器具の名前、型番及び配置をユーザに入力させるためのＧＵＩをタッチパネルに表示する。これにより、複数の照明器具１０の各々についての名前、型番及び配置などをユーザに入力させることで、取得部２１は、入力された情報を基本情報として取得することができる。
【００４４】
照明情報は、複数の照明器具１０による現状の照明状態を示す情報である。具体的には、照明情報は、図５に示すように、空間５０が撮影された画像である。図５は、本実施の形態に係る現状の照明状態が実現された空間５０が撮影された画像を示す図である。
【００４５】
「現状の照明状態」とは、本実施の形態に係る照明演出を行う前の空間５０の照明状態である。例えば、現状の照明状態は、ユーザが照明演出を行うために通信端末２０を操作している時の空間５０の照明状態である。具体的には、現状の照明状態は、ユーザが通信端末２０のカメラを用いて空間５０を撮影することで生成された画像に示される。
【００４６】
例えば、照明演出プログラムは、ユーザに通信端末２０のカメラを用いて空間５０を撮影させる。例えば、照明演出プログラムは、「部屋の写真を撮影して下さい」などのメッセージを、通信端末２０のディスプレイに表示させることで、又は、スピーカなどから出力させることで、ユーザに撮影を促す。ユーザがカメラを操作して空間５０を撮影することで、取得部２１は、空間５０が撮影された画像を取得することができる。
【００４７】
なお、照明情報は、画像に限らず、空間５０に配置された複数の照明器具１０の各々の調光率及び色温度の現状の設定値でもよい。
【００４８】
印象情報は、所定の照明状態が実現された空間の印象を示す情報である。本実施の形態では、印象情報は、ユーザの理想の照明状態が実現された空間が撮影された画像を含む。印象情報は、空間５０に配置された複数の照明器具１０の調光率及び色温度の目標設定値を示す情報に相当する。
【００４９】
ユーザの「理想の照明状態」とは、ユーザが空間５０に実現したい照明状態である。つまり、理想の照明状態は、複数の照明器具１０の調光率及び色温度の設定目標になる照明状態に相当する。取得部２１は、ユーザが理想空間の画像として入力した画像を、印象情報に含まれる所定の画像として取得する。
【００５０】
図６は、本実施の形態に係る理想の照明状態が実現された空間（理想空間６０）が撮影された画像を示す図である。
【００５１】
理想空間６０が撮影された画像は、例えば、ユーザが予め理想空間６０を撮影することで取得され、通信端末２０の記憶部（図示せず）などに記憶されている。例えば、ユーザが、友人宅、モデルハウス又はショールームなどを訪問した際に、気に入った照明状態が実現された部屋を理想空間６０として撮影することで取得される。
【００５２】
なお、理想空間６０が撮影された画像は、ユーザが撮影した画像でなくてもよい。例えば、ウェブサイトなどに含まれる画像、又は、雑誌などをスキャン又は撮影した画像でもよい。例えば、理想空間６０が撮影された画像を通信端末２０にダウンロードさせる操作をユーザが行うことで、取得部２１は、当該画像を取得することもできる。
【００５３】
また、印象情報は、さらに、ユーザが好む印象を示すキーワード（第２キーワード）を含んでもよい。具体的には、キーワードは、理想の照明状態に対してユーザが感じる印象を表す感性ワードである。キーワードは、例えば、所定の尺度に基づいた方向性を有する言葉である。本実施の形態では、キーワードは、ユーザの覚醒度合いに基づいた言葉であり、例えば、「すっきり」、「ややすっきり」、「ややくつろぎ」、「くつろぎ」などである。「すっきり」と「くつろぎ」との間には印象の差（距離感）があり、キーワードが「やや」という言葉を含むことで、「すっきり」と「くつろぎ」との間の中間的な印象を表すことができる。
【００５４】
［送信部及び受信部］
送信部２２は、複数の照明制御情報を、各々に対応する照明器具１０の制御部１２に送信する。例えば、送信部２２は、受信部２３によってサーバ装置３０から照明制御情報が受信された場合に、受信された照明制御情報を、対応する照明器具１０の制御部１２に送信する。
【００５５】
送信部２２は、さらに、ネットワーク４０を介して、サーバ装置３０に入力情報を送信する。例えば、送信部２２は、取得部２１によって入力情報が取得された場合に、取得された入力情報をサーバ装置３０の制御情報生成部３１に送信する。
【００５６】
なお、送信部２２は、ユーザ操作に基づいて照明制御情報を送信してもよい。例えば、受信部２３が照明制御情報を受信した時点では、送信部２２は、照明制御情報を送信しない。このとき、例えば、照明制御情報を、通信端末２０の記憶部（図示せず）などに記憶しておく。送信部２２は、ユーザから照明制御の指示を受け付けた時に、照明制御情報を記憶部から読み出して送信してもよい。これにより、任意のタイミングで照明演出を行うことができる。
【００５７】
受信部２３は、ネットワーク４０を介して、サーバ装置３０から照明制御情報を取得する。
【００５８】
送信部２２及び受信部２３は、複数の照明器具１０の各々及びサーバ装置３０と通信可能な通信インタフェースである。送信部２２と照明器具１０の制御部１２との間の通信は、例えば、無線通信である。無線通信は、例えば、Ｂｌｕｅｔｏｏｔｈ（登録商標）、ＺｉｇＢｅｅ（登録商標）又はＷｉ−Ｆｉ（登録商標）などの所定の無線通信規格に基づいて行われる。なお、送信部２２と制御部１２との間の通信は、無線通信でなくてもよく、有線通信でもよい。
【００５９】
ネットワーク４０は、例えば、インターネットである。送信部２２及び受信部２３は、ルータ（図示せず）などを介してネットワーク４０に接続することで、サーバ装置３０と通信する。
【００６０】
［サーバ装置］
サーバ装置３０は、ユーザ毎の理想の照明状態を実現するための照明制御情報を生成する装置である。サーバ装置３０は、例えば、空間５０とは別の空間に配置されたコンピュータなどである。サーバ装置３０は、具体的には、通信端末２０のユーザの自宅などとは異なり、宅外に設けられている。
【００６１】
サーバ装置３０は、図１に示すように、制御情報生成部３１と、データベース３２とを備える。以下、サーバ装置３０の各構成要素について詳細に説明する。
【００６２】
［制御情報生成部］
制御情報生成部３１は、照明情報が示す現状の照明情報を印象情報が示す印象に近付けるための複数の照明器具１０の各々の照明制御情報を、入力情報に基づいて生成する。本実施の形態では、制御情報生成部３１は、入力情報に基づいて、データベース３２を参照することで、照明制御情報を生成する。具体的には、制御情報生成部３１は、データベース３２の中から理想の照明状態に対応する調光率を選択して、選択した調光率に基づいて照明制御情報を生成する。
【００６３】
本実施の形態では、制御情報生成部３１は、入力情報に含まれる基本情報及び照明情報を用いて、現状の照明状態を把握する。具体的には、制御情報生成部３１は、空間５０内に配置された照明器具１０の個数及びその配置を把握する。さらに、制御情報生成部３１は、入力情報に含まれる照明情報を用いて、空間５０内に配置された照明器具１０毎に、出射する光の色温度及び明るさ（調光率）を抽出する。
【００６４】
照明情報は、例えば、空間５０が撮影された画像（以下、「現状画像」と記載する）を含んでいる。制御情報生成部３１は、現状画像に画像処理を行うことにより、領域毎の色温度及び明るさを抽出する。
【００６５】
例えば、制御情報生成部３１は、現状画像から天井５１、床５２、壁５３及び壁５４の各々の領域を判定する。制御情報生成部３１は、エッジ検出又はパターンマッチングなどの画像処理を現状画像に行うことで、天井５１、床５２、壁５３及び壁５４の各々の領域を判定する。制御情報生成部３１は、判定した領域毎に色温度及び明るさを抽出する。制御情報生成部３１は、レイアウト情報及び基本情報に基づいて、複数の照明器具１０の各々がいずれの領域に配置されているかが分かるので、各照明器具に現状設定されている色温度及び調光率を推定することができる。
【００６６】
本実施の形態では、制御情報生成部３１は、印象情報に含まれる画像（以下、「理想画像」と記載する）から、理想の照明状態の色温度及び明るさを抽出する。制御情報生成部３１は、データベース３２の中から、理想画像から抽出した色温度及び明るさに対応するキーワードに対応付けられた調光率を選択する。制御情報生成部３１は、選択した調光率、及び、抽出した色温度に基づいて照明制御情報を生成する。
【００６７】
例えば、制御情報生成部３１は、理想画像の領域毎に、色温度及び明るさを画像処理により抽出する。具体的には、制御情報生成部３１は、理想画像から天井、床及び壁の各々の領域を判定する。具体的な処理は、現状画像に行う処理と同様である。これにより、制御情報生成部３１は、例えば、理想画像内における天井、床及び壁の各々に設けられた照明器具からの光の色温度及び明るさを把握することができる。
【００６８】
例えば、データベース３２には、複数の色温度の各々に対して、複数のキーワードの各々に応じた調光率が、空間内の場所毎に対応付けられている。制御情報生成部３１は、レイアウト情報を用いて、複数の照明器具１０の各々に応じた調光率を決定する。具体的には、制御情報生成部３１は、理想画像内における領域毎の色温度及び明るさに基づいて、データベース３２の中から理想画像に最も類似する色温度と明るさとキーワードとの組み合わせを選択する。制御情報生成部３１は、選択した組み合わせに基づいて、空間５０に配置された複数の照明器具１０の出射光の色温度及び調光率を決定する。制御情報生成部３１は、決定した色温度及び調光率で複数の照明器具１０を点灯させるための最適な照明制御情報を生成する。
【００６９】
このとき、制御情報生成部３１は、基本情報が示す性能で実現可能な範囲内に、選択した調光率を調整する。例えば、複数の照明器具１０の中に、充分な光束の光を出射することができない照明器具が含まれているとする。この場合、制御情報生成部３１は、例えば、当該照明器具では足りない光束を他の照明器具で補うように、他の照明器具の調光率を高くするための照明制御情報を生成する。
【００７０】
また、例えば、複数の照明器具１０の中に、調光機能を有するが、調色機能を有しない照明器具が含まれているとする。この場合、制御情報生成部３１は、当該照明器具では実現できない調色機能を他の照明器具で補うように、他の照明器具の色温度を設定するための照明制御情報を生成する。
【００７１】
制御情報生成部３１は、印象情報にキーワード（第２キーワード）が含まれる場合、データベース３２内のキーワード（第１キーワード）と、印象情報に含まれる第２キーワードとの間の印象の差に応じて、選択した調光率を調整する。ここで、第１キーワードは、理想画像から抽出した色温度及び明るさに対応するデータベース３２内のキーワードである。制御情報生成部３１は、印象の差に応じた重み係数を決定し、選択した調光率に、決定した重み係数を乗ずることで、調光率を調整する。
【００７２】
［データベース］
データベース３２は、複数の色温度と照明状態の印象を示す複数のキーワード（第１キーワード）とを対応付けたデータベースである。データベース３２では、複数の色温度の各々に対して、複数のキーワードの各々に応じた調光率が対応付けられている。
【００７３】
本実施の形態では、データベース３２は、空間の種類及び大きさの組み合わせ毎に、色温度とキーワードと調光率との対応テーブルを含んでいる。空間の種類は、例えば、具体的には、「リビングルーム」、「ダイニングルーム」、「寝室」などである。空間の大きさは、例えば、部屋の大きさであり、間取り図における部屋の面積である。
【００７４】
図７は、本実施の形態に係るデータベース３２の一部を示す図である。具体的には、図７は、２０ｍ２〜３０ｍ２のリビング・ダイニングルームに対応する対応テーブルを示している。
【００７５】
図７に示すように、データベース３２では、色温度毎に複数のキーワードが対応付けられている。さらに、複数のキーワードの各々に対して、複数の照明器具の各々に応じた調光率が対応付けられている。このときの調光率は、一般的に、対応する色温度で、対応するキーワードの印象を抱くときの最適な明るさを示している。
【００７６】
具体的には、「すっきり」と感じる光の明るさは、色温度毎に異なっている。図７に示すように、「すっきり」と感じる光の明るさは、色温度が低い（すなわち、赤みを帯びた光）程、暗く、色温度が高い（すなわち、青みを帯びた光）程、明るい。「くつろぎ」についても同様である。このように、データベース３２では、色温度とキーワードとの組み合わせ毎に最適な調光率が対応付けられている。
【００７７】
なお、図７に示す例では、キーワードとして「すっきり」と「くつろぎ」との２つを示しているが、これに限らない。２つのキーワードは、例えば、所定の尺度に基づいた方向性を有する言葉のうち、対極の感性ワードである。例えば、「すっきり」が覚醒度合いの最も大きい言葉であり、「くつろぎ」が覚醒度合いの最も低い言葉である。「ややくつろぎ」などの中間的な覚醒度合いのキーワードが通信端末２０から取得された場合は、制御情報生成部３１は、覚醒度合いに応じて「すっきり」の調光率と「くつろぎ」の調光率との間を補間（内挿）することで、「ややくつろぎ」に応じた調光率を決定することができる。
【００７８】
これにより、色温度とキーワードとが取得された場合に、制御情報生成部３１は、複数の照明器具の各々の最適な調光率を選択することができる。なお、データベース３２を用いた詳細な動作については、後で説明する。
【００７９】
なお、データベース３２は、サーバ装置３０が備える記憶部（図示せず）に記憶されている。当該記憶部は、例えば、ＨＤＤ（Ｈａｒｄ  Ｄｉｓｋ  Ｄｒｉｖｅ）又はフラッシュメモリなどである。なお、サーバ装置３０は、データベース３２を備えていなくてもよい。例えば、データベース３２は、サーバ装置３０とネットワーク４０を介して接続されていてもよい。
【００８０】
［動作］
続いて、本実施の形態に係る照明演出システム１の動作について、図８を用いて説明する。図８は、本実施の形態に係る照明演出システム１の動作を示すシーケンス図である。
【００８１】
まず、図８に示すように、通信端末２０の取得部２１が入力情報を取得する（Ｓ１０）。具体的には、取得部２１は、ユーザ操作に基づいて、レイアウト情報、基本情報、照明情報及び印象情報を取得する。なお、取得部２１は、通信端末２０の記憶部（図示せず）に予め記憶されていたレイアウト情報及び基本情報を取得してもよい。
【００８２】
次に、送信部２２は、取得部２１によって取得された入力情報をサーバ装置３０に送信する（Ｓ２０）。サーバ装置３０の制御情報生成部３１は、送信された入力情報を取得する。
【００８３】
次に、制御情報生成部３１は、取得した入力情報に基づいて照明制御情報を生成する（Ｓ３０）。具体的には、制御情報生成部３１は、入力情報に基づいて、ユーザが希望する照明状態を空間５０に実現するための照明制御情報を生成する。当該処理の詳細については、図９を用いて後で説明する。
【００８４】
制御情報生成部３１は、生成した照明制御情報を通信端末２０に送信する（Ｓ４０）。通信端末２０の受信部２３は、送信された照明制御情報を受信する。
【００８５】
次に、通信端末２０の送信部２２は、受信部２３によって受信された照明制御情報を複数の照明器具１０の各々に送信する（Ｓ５０）。複数の照明器具１０の各々は、照明制御情報を受信し、受信した照明制御情報に応じて照明状態を変更する（Ｓ６０）。具体的には、複数の照明器具１０の各々の制御部１２は、照明制御情報に含まれる色温度及び調光率で光源部１１を点灯させる。
【００８６】
以上のようにして、制御情報生成部３１によって生成された照明制御情報に応じた照明状態を空間５０に実現することができる。照明制御情報は、ユーザの理想に基づいて生成されるので、空間５０にユーザの理想の照明状態に近付けた照明状態を実現することができる。
【００８７】
以下では、照明制御情報を生成する処理の詳細について、図９を用いて説明する。図９は、本実施の形態に係る照明演出システム１において、照明制御情報を生成する処理を示すフローチャートである。
【００８８】
図９に示すように、まず、制御情報生成部３１は、空間５０の特徴を判別する（Ｓ３１）。空間５０の特徴は、空間５０の性質、及び、空間５０に配置された複数の照明器具１０の個数及び配置などである。
【００８９】
具体的には、まず、制御情報生成部３１は、レイアウト情報に基づいて空間５０の種類及び大きさを判別する。例えば、図３に示すレイアウト情報を取得した場合、制御情報生成部３１は、空間５０が２０ｍ２のリビング・ダイニングルームであることを把握することができる。
【００９０】
さらに、制御情報生成部３１は、レイアウト情報及び基本情報に基づいて、複数の照明器具１０の配置及び機能を判別する。例えば、図３に示すレイアウト情報及び図４に示す基本情報を取得した場合、制御情報生成部３１は、天井５１、床５２及び壁５３又は壁５４に、それぞれ４つ、１つ、１つの照明器具１０が配置されていることが分かる。また、天井５１に配置された４つの照明器具１０ａ〜１０ｄのうち、奥の２つの照明器具１０ｂ及び１０ｄは、調色機能を有しないことが分かる。
【００９１】
次に、制御情報生成部３１は、現状の照明状態を判別する（Ｓ３２）。例えば、制御情報生成部３１は、通信端末２０の送信部２２から送信された、空間５０が撮影された画像（現状画像）を取得し、現状画像に基づいて現状の照明状態を判別する。
【００９２】
具体的には、制御情報生成部３１は、まず、現状画像から天井５１、床５２、壁５３及び壁５４の各々の領域を判定する。例えば、制御情報生成部３１は、エッジ検出又はパターンマッチングなどの画像処理を現状画像に行うことで、天井５１、床５２、壁５３及び壁５４の各々の領域を判定する。
【００９３】
制御情報生成部３１は、領域毎に色温度及び明るさを抽出する。これにより、天井５１、床５２、壁５３及び壁５４の各々の色温度及び明るさが抽出されるので、制御情報生成部３１は、データベース３２を参照することで、現状の照明状態を把握することができる。図７に示す例では、現状の照明状態は、粗いドットの網掛けで示すように、以下の通りであることが分かる。
【００９４】
すなわち、天井５１の照明器具は、色温度が２０００Ｋで、調光率が２５％で、印象がくつろぎ側である。床５２の照明器具は、色温度が２０００Ｋで、調光率が２５％で、印象がくつろぎ側である。壁５３又は壁５４の照明器具は、色温度が３０００Ｋで、調光率が５０％で、印象がくつろぎ側である。
【００９５】
次に、制御情報生成部３１は、理想画像の照明状態を判別する（Ｓ３３）。例えば、制御情報生成部３１は、通信端末２０の送信部２２から送信された印象情報に含まれる理想画像を取得し、理想画像の照明状態を判別する。
【００９６】
具体的には、制御情報生成部３１は、まず、理想画像から天井、床及び壁の各々の領域を判定する。例えば、エッジ検出又はパターンマッチングなどの画像処理を理想画像に行うことで、天井、床及び壁の各々の領域を判定する。
【００９７】
制御情報生成部３１は、領域毎に色温度及び明るさを抽出する。これにより、天井、床及び壁の各々の色温度及び明るさが抽出されるので、制御情報生成部３１は、データベース３２を参照することで、理想画像の照明状態を把握することができる。図７に示す例では、理想画像の照明状態は、密なドットの網掛けで示すように、以下の通りであることが分かる。
【００９８】
すなわち、天井の照明器具は、色温度が５０００Ｋで、調光率が７５％で、印象がくつろぎ側である。床の照明器具は、色温度が５０００Ｋで、調光率が７５％で、印象がくつろぎ側である。壁の照明器具は、色温度が４０００Ｋで、調光率が６０％で、印象がくつろぎ側である。
【００９９】
次に、制御情報生成部３１は、印象情報にキーワードが含まれるか否かを判定する（Ｓ３４）。キーワードが含まれる場合（Ｓ３４でＹｅｓ）、制御情報生成部３１は、当該キーワードと、理想画像から判定されたキーワードとの間の距離感を推定する（Ｓ３５）。距離感は、キーワード間の印象の差であり、具体的には、重み付け演算に用いる重み係数に相当する。
【０１００】
例えば、図７に示すように、理想画像から判定されたキーワードは、「くつろぎ」である。このとき、印象情報に含まれるキーワードが「ややすっきり」である場合、制御情報生成部３１は、「くつろぎ」と「ややすっきり」との間の距離感を推定する。距離感（重み係数）は、「くつろぎ」と「すっきり」との間の距離に対する、「くつろぎ」と「ややすっきり」との間の距離の割合によって定められる。制御情報生成部３１は、例えば、「ややすっきり」は、「くつろぎ」と「すっきり」とのうち「すっきり」側の印象を示すと推定する。制御情報生成部３１は、例えば、「くつろぎ」に対する重み係数が１／３であり、「すっきり」に対する重み係数は２／３であると推定する。
【０１０１】
制御情報生成部３１は、推定した距離感に基づいて、照明制御情報を生成する（Ｓ３６）。制御情報生成部３１は、理想画像に基づいて判定された色温度において、「すっきり」に対応付けられた調光率と「くつろぎ」に対応付けられた調光率とを重み付け演算する。図７では、重み付け演算に用いる数値を四角で囲んで示している。
【０１０２】
例えば、天井の照明器具について、色温度が５０００Ｋの場合、「すっきり」に適した調光率は９０％であり、「くつろぎ」に適した調光率は７５％である。したがって、「ややくつろぎ」に適した調光率は、９０％（すっきり）を重み係数２／３で重み付け、７５％（くつろぎ）を重み係数１／３で重み付けて、加算することにより、８５％となる。壁の照明器具、及び、床の照明器具についても同様の演算を行うことで、壁の照明器具の調光率は７３％、床の照明器具の調光率は８５％と算出される。
【０１０３】
したがって、制御情報生成部３１は、以下のように複数の照明器具１０を制御するための照明制御情報を生成する。すなわち、天井５１の照明器具１０を、色温度が５０００Ｋ、かつ、調光率が８５％で点灯させる。床５２の照明器具１０を、色温度が５０００Ｋ、かつ、調光率が８５％で点灯させる。壁５３及び壁５４の照明器具１０を、色温度が４０００Ｋ、かつ、調光率が７３％で点灯させる。
【０１０４】
キーワードが含まれない場合（Ｓ３４でＮｏ）、制御情報生成部３１は、現状の照明状態を理想画像の照明状態に近付けるように、照明制御情報を生成する（Ｓ３６）。例えば、制御情報生成部３１は、理想画像の色温度及び調光率で照明器具１０を点灯させるような照明制御情報を生成する。
【０１０５】
なお、調光率及び色温度を決定する際に、例えば、制御情報生成部３１は、理想画像の調光率及び色温度を、基本情報が示す性能で実現可能な範囲内に調整してもよい。
【０１０６】
［効果など］
以上のように、本実施の形態に係る照明演出システム１は、各々が、光源部１１と、光源部１１の調光及び調色の少なくとも一方を制御する制御部１２とを備える１以上の照明器具１０と、１以上の照明器具１０が配置された空間５０のレイアウト情報、１以上の照明器具１０の性能を示す基本情報、１以上の照明器具１０による現状の照明状態を示す照明情報、及び、所定の照明状態が実現された空間の印象を示す印象情報を含む入力情報を取得する取得部２１を備える通信端末２０と、照明情報が示す現状の照明情報を印象情報が示す印象に近付けるための１以上の照明器具１０の各々の照明制御情報を、入力情報に基づいて生成する制御情報生成部３１とを備え、通信端末２０は、さらに、照明制御情報を、対応する照明器具１０の制御部１２に送信する送信部２２を備え、制御部１２は、送信部２２によって送信された照明制御情報を取得し、取得した照明制御情報に基づいて光源部１１の調光及び調色の少なくとも一方を制御する。
【０１０７】
これにより、レイアウト情報、基本情報、照明情報及び印象情報を含む入力情報に基づいて、ユーザが希望する照明制御情報を生成することができる。例えば、ユーザ入力に基づいて、ユーザが希望する印象を示す印象情報を取得することで、ユーザが希望する印象に適した照明制御情報を生成することができる。
【０１０８】
また、レイアウト情報、基本情報及び印象情報を取得するので、現状の照明状態を適切に把握することができる。したがって、例えば、照明器具１０の個数、配置及び機能などに応じて、ユーザが希望する印象に最適な照明制御情報を生成することができる。
【０１０９】
また、ユーザは、入力情報を、通信端末２０を介して制御情報生成部３１に送信するだけでよい。つまり、ユーザは、照明器具１０の色温度及び調光率などの具体的な設定値を入力する必要はない。したがって、ユーザが希望する照明空間を容易に実現することができる。
【０１１０】
また、例えば、印象情報は、ユーザの理想の照明状態が実現された空間が撮影された画像を含む。
【０１１１】
これにより、印象情報には、ユーザの理想の照明状態が実現された空間が撮影された画像が含まれるので、理想の照明状態の領域毎の明るさ及び色を把握することができる。したがって、最適な照明制御情報を生成することができる。また、ユーザは、理想の照明状態が実現された空間を撮影して送信すればよいので、ユーザが希望する照明空間を容易に実現することができる。
【０１１２】
また、例えば、照明演出システム１は、さらに、複数の色温度と照明状態の印象を示す複数のキーワードとを対応付けたデータベース３２を備え、制御情報生成部３１は、入力情報に基づいてデータベース３２を参照することで、照明制御情報を生成する。
【０１１３】
これにより、データベース３２の中から入力情報に基づいて適切な組み合わせを選択することができる。したがって、最適な照明制御情報を生成することができ、ユーザが希望する照明空間を容易に実現することができる。
【０１１４】
また、例えば、データベース３２では、複数の色温度の各々に対して、複数のキーワードの各々に応じた調光率が対応付けられており、制御情報生成部３１は、データベース３２の中から理想の照明状態に対応する調光率を選択し、選択した調光率に基づいて照明制御情報を生成する。また、例えば、制御情報生成部３１は、印象情報に含まれる画像から、理想の照明状態の色温度及び明るさを抽出し、データベース３２の中から、抽出した色温度及び明るさに対応する第１キーワードに対応付けられた調光率を選択し、選択した調光率、及び、抽出した色温度に基づいて照明制御情報を生成する。
【０１１５】
これにより、データベース３２では色温度とキーワードとの組み合わせに応じた調光率が対応付けられているので、理想画像から抽出した色温度及び調光率に基づいて、最適な色温度と調光率との組み合わせを選択することができる。したがって、最適な照明制御情報を生成することができ、ユーザが希望する照明空間を容易に実現することができる。
【０１１６】
また、例えば、印象情報は、さらに、ユーザが好む印象を示す第２キーワードを含む。
【０１１７】
これにより、ユーザが好む印象を示す第２キーワードを利用するので、ユーザが希望する最適な照明制御情報を生成することができる。
【０１１８】
また、例えば、制御情報生成部３１は、さらに、第１キーワードと第２キーワードとの間の印象の差に応じて、選択した調光率を調整する。
【０１１９】
これにより、データベース３２の第１キーワードに対応付けられた調光率を、第１キーワードと第２キーワードとの間の印象の差によって調整するので、ユーザが希望する最適な照明制御情報を生成することができる。
【０１２０】
また、例えば、制御情報生成部３１は、さらに、基本情報が示す性能で実現可能な範囲内に、選択した調光率を調整する。
【０１２１】
これにより、空間５０に配置された複数の照明器具１０によって実現可能な照明状態のうち、ユーザが希望する最適な照明制御情報を生成することができる。
【０１２２】
また、例えば、レイアウト情報は、１以上の照明器具１０の配置を示し、データベース３２では、複数の色温度の各々に対して、複数のキーワードの各々に応じた調光率が、空間内の場所毎に対応付けられ、制御情報生成部３１は、レイアウト情報を用いて、１以上の照明器具１０の各々に応じた調光率を決定する。
【０１２３】
これにより、複数の照明器具１０の各々に応じた調光率を決定するので、空間５０の照明演出をより精度良く行うことができる。
【０１２４】
なお、本実施の形態における技術は、照明演出システムとして実現できるだけでなく、コンピュータを、上述した照明演出システムとして機能させるためのプログラムとして実現することもできる。あるいは、当該プログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。
【０１２５】
つまり、上述した包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０１２６】
（その他）
以上、本発明に係る照明演出システムについて、上記の実施の形態及びその変形例に基づいて説明したが、本発明は、上記の実施の形態に限定されるものではない。
【０１２７】
例えば、上記の実施の形態では、通信端末２０が携帯端末である例について示したが、これに限らない。通信端末２０は、所定の場所に設置された制御装置などでもよい。例えば、通信端末２０は、パーソナルコンピュータでもよく、あるいは、照明器具１０を制御する専用のデバイスでもよい。
【０１２８】
また、例えば、上記の実施の形態では、照明演出システム１がサーバ装置３０を備え、サーバ装置３０が制御情報生成部３１を備える例について示したが、これに限らない。照明演出システム１は、サーバ装置３０を備えていなくてもよい。この場合、例えば、通信端末２０が制御情報生成部３１及びデータベース３２を備えてもよい。したがって、送信部２２及び受信部２３は、ネットワーク４０を介した情報の送受信ではなく、通信端末２０の内部における情報の送受信を行ってもよい。
【０１２９】
また、例えば、上記の実施の形態では、照明演出システム１が１つの通信端末２０を備え、１つの空間５０の照明演出を行う例について示したが、これに限らない。照明演出システム１は、複数の通信端末２０を備え、複数の空間５０の照明演出を行ってもよい。すなわち、サーバ装置３０の制御情報生成部３１は、通信端末２０毎に、各々から送信される入力情報に基づいて、各々に最適な照明制御情報を生成してもよい。これにより、複数の空間５０の照明演出を容易に行うことができる。
【０１３０】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１３１】
１  照明演出システム
１０、１０ａ、１０ｂ、１０ｃ、１０ｄ、１０ｅ、１０ｆ  照明器具
１１  光源部
１２  制御部
２０  通信端末
２１  取得部
２２  送信部
３１  制御情報生成部
３２  データベース
５０  空間
６０  理想空間
【図１】
2016194320.tif 000003
【図２】
2016194320.tif 000004
【図３】
2016194320.tif 000005
【図４】
2016194320.tif 000006
【図５】
2016194320.tif 000007
【図６】
2016194320.tif 000008
【図７】
2016194320.tif 000009
【図８】
2016194320.tif 000010
【図９】
2016194320.tif 000011
【国際調査報告】
2016194320.tif 000012
2016194320.tif 000013
2016194320.tif 000014
2016194320.tif 000015